(57)【特許請求の範囲】
【請求項１】
電子レンジにより加熱するための袋であって、
少なくとも周縁に上下に対向して配された上端接合部と、下端接合部と、左右に対向して配された側端接合部と、を備えた電子レンジ加熱用包装袋において、
左右に対向して配された前記側端接合部のうち、いずれか一方のみに蒸気抜き手段形成部を備え、
前記蒸気抜き手段形成部は、蒸気口形成用接合部及び液漏れ防止領域を備え、
前記蒸気口形成用接合部は、前記側端接合部の一部が外方から内方に凹み、凹んだ頂上に突端を備えた山形の形状であり、
前記液漏れ防止領域は、前記蒸気口形成用接合部の外縁に連続した未接合部からなり、かつ、前記液漏れ防止領域には切り込みが設けられておらず、
前記未接合部の外縁が前記蒸気口形成用接合部の両側の基部が連接する前記側端接合部の外縁間に仮想接線を引いたとき、前記仮想接線よりも内側に後退しており、かつ、次の関係式（１）、（２）を満足することを特徴とする電子レンジ加熱用包装袋。
α＜β・・・・・・・・・・（１）
α＋β≦γ・・・・・・・・（２）
α：未接合部の外縁において内方に向かう最下点より仮想接線に下した垂線の長さ
β：未接合部の外縁において内方に向かう最下点と突端の外縁との間の長さ
γ：蒸気口形成用接合部の両側の基部の間の長さ
【請求項２】
前記電子レンジ加熱用包装袋が、前記上端接合部と対向する下端に上下方向の断面視逆Ｖ字状の底部を備えた自立袋であることを特徴とする請求項１に記載の電子レンジ加熱用包装袋。
【発明の詳細な説明】
【技術分野】
【０００１】
本発明は、液体、粘体あるいは、これらに固体が混在する内容物を密封包装するために用いられ、電子レンジで加熱するときに破裂を起こさず、速やかに蒸気が包装袋の外に排出され、自動的に内圧を低下させ、内容物が噴き零れることなく、安全に加熱調理できる電子レンジ加熱用包装袋に関するものである。
【背景技術】
【０００２】
従来、調理済あるいは半調理済等の食品、たとえば、肉まん、あんまん、シュウマイ、餃子、ハンバーガー、ホットドック、スパゲティー、焼きそば、焼きうどん、ビーフン等の調理済めん類等をプラスチック製の包装袋に収納して、食べるに際して電子レンジにより加熱調理する包装食品が市場に出回っている。また、調理済あるいは半調理済の液体、粘体あるいは液体と固体とが混在する内容物、例えば、カレー、シチュー、スープ等の調理済食品をプラスチック製の包装袋に収納して、食べるに際して電子レンジにより加熱調理する包装食品も多く市場に出回っている。最近、このような食品を収納する包装袋には、電子レンジで包装袋ごと加熱する際、食品から発生する蒸気や内部空気の熱膨張により包装袋内部の内圧が上昇して包装袋が破裂することのないように包装袋に蒸気抜き手段が形成され使用者に利便性を与える包装袋が多く使われている。
【０００３】
このような包装袋は蒸気抜き手段が形成されているので電子レンジで加熱する場合に袋に蒸気抜き穴を開けたり、包装袋の隅部を一部切取ったりする手間がなく使用者にとって便利なものであり、例えば、サイドシール部の上方に通蒸部が形成され、通蒸部は、袋本体部の幅方向において袋本体部の内方に向けて窪む窪み部分を有した蒸気抜きスタンディングパウチが知られている（例えば、特許文献１参照）。しかしながら、この通蒸部は窪み部分を有しているために充填から流通に至る過程においてスタンディングパウチのハンドリングの際、窪み部分が別の商品の窪み部分等に引っ掛かり取り扱いが不便であり、著しい場合には包装袋に引っ掛かり傷をつける等の破袋の原因を誘引する危惧がある。
【０００４】
また、袋本体部分のサイドシール部分の上方に通蒸シール部分および未シール部分を有する通蒸部分を形成し、通蒸シール部分は、袋本体部分の幅方向の外側から内側に向けて窪む形状を有し、未シール部分は、通蒸シール部分の窪む形状の部分において通蒸シール部分と連続して形成され、未シール部分を構成するシートに切り込みを有する蒸気抜きスタンディングパウチが開示されている（例えば、特許文献２参照）。しかしながら、未シール部分には切り込みを有するために電子レンジ加熱後、電子レンジの庫内から取り出す際、未シール部分が有する切り込みから内容物の汁が零れるという不具合がある。また、切り込みを形成するための工程が増えるという問題もある。
【先行技術文献】
【特許文献】
【０００５】
【特許文献１】ＷＯ２０１３／１３３０９２号公報
【特許文献２】特開２０１３−２５６３２３号公報
【発明の概要】
【発明が解決しようとする課題】
【０００６】
そこで本発明は、上記問題を解決すべくなされたものであり、その目的とするところは電子レンジで加熱により発生した包装袋内の蒸気が速やかに包装袋の外に排出され、自動的に内圧を低下させ破裂することがなく、電子レンジの庫内から取り出す際にも内容物の汁が零れることなく、安全に加熱調理できる電子レンジ加熱用包装袋を提供することにある。
【課題を解決するための手段】
【０００７】
本発明は、上記課題を達成するために、請求項１記載の本発明は、電子レンジにより加熱するための袋であって、少なくとも周縁に上下に対向して配された上端接合部と、下端接合部と、左右に対向して配された側端接合部と、を備えた電子レンジ加熱用包装袋において、左右に対向して配された前記側端接合部のうち、いずれか一方のみに蒸気抜き手段形成部を備え、前記蒸気抜き手段形成部は、蒸気口形成用接合部及び液漏れ防止領域を備え、前記蒸気口形成用接合部は、前記側端接合部の一部が外方から内方に凹み、凹んだ頂上に突端を備えた山形の形状であり、前記液漏れ防止領域は、前記蒸気口形成用接合部の外縁に連続した未接合部からなり、かつ、前記液漏れ防止領域には切り込みが設けられておらず、前記未接合部の外縁が前記蒸気口形成用接合部の両側の基部が連接する前記側端接合部の外縁間に仮想接線を引いたとき、前記仮想接線よりも内側に後退しており、かつ、次の関係式（１）、（２）を満足することを特徴とする電子レンジ加熱用包装袋である。
α＜β・・・・・・・・・・（１）
α＋β≦γ・・・・・・・・（２）
α：未接合部の外縁において内方に向かう最下点より仮想接線に下した垂線の長さ
β：未接合部の外縁において内方に向かう最下点と突端の外縁との間の長さ
γ：蒸気口形成用接合部の両側の基部の間の長さ
【０００８】
また、請求項２記載の本発明は、請求項１に記載の電子レンジ加熱用包装袋において、前記電子レンジ加熱用包装袋が、前記上端接合部と対向する下端に上下方向の断面視逆Ｖ字状の底部を備えた自立袋である。
【発明の効果】
【００１０】
本発明の電子レンジ加熱用包装袋は、電子レンジで加熱により発生した包装袋内の蒸気が速やかに包装袋の外に排出され、自動的に内圧を低下させ破裂することがなく、電子レンジの庫内から取り出す際にも内容物の汁が零れることなく、安全に加熱調理できる。
【図面の簡単な説明】
【００１１】
【図１】本発明に係る電子レンジ加熱用包装袋の一実施形態を示す正面図である。
【図２】図１のＡ−Ａ線断面図である。
【図３】本発明に係る電子レンジ加熱用包装袋の一実施形態の要部説明図であって、（イ）は図１の円内拡大図、（ロ）はＢ−Ｂ線断面図である。
【図４】本発明に係る電子レンジ加熱用包装袋の積層体の構成例を示す説明図である。
【発明を実施するための形態】
【００１２】
上記の本発明について、図面等を用いて以下に詳述する。
図１は本発明に係る電子レンジ加熱用包装袋の一実施形態を示す正面図、図２は図１のＡ−Ａ線断面図、図３は本発明に係る電子レンジ加熱用包装袋の一実施形態の要部説明図であって、（イ）は図１の円内拡大図、（ロ）はＢ−Ｂ線断面図、図４は本発明に係る電子レンジ加熱用包装袋の積層体の構成例を示す説明図であり、図中の１は電子レンジ加熱用包装袋、２は上端接合部、３は下端接合部、４、５は側端接合部、５ａ、５ｂは側端接合部外縁、６は蒸気抜き手段形成部、６１は蒸気口形成用接合部、６１ａ、６１ｂは基部、６１ｃは蒸気口形成用接合部外縁、６１ｄは突端、６２は未接合部、６２ａは未接合部外縁、６３は仮想接線、７はノッチ、８は胴部、８ａ、８ｂは胴材、９は底部、９ａは底材、１０は積層体、１１は基材層、１２は中間層、１３は熱融着性樹脂層、１４、１５は接着層、Ｒは液漏れ防止領域をそれぞれ示す。
【００１３】
図１は本発明に係る電子レンジ加熱用包装袋の一実施形態を示す正面図、図２は図１のＡ−Ａ線断面図である。
本発明に係る一実施形態の電子レンジ加熱用包装袋１は、電子レンジにより加熱するための袋であって、図１、図２に示すように、２枚の略四角形の積層体１０からなる胴材８ａと８ｂを対向させて重ね合わせ、周縁を熱接着し、少なくとも周縁に上下に対向して配された上端接合部２と、下端接合部３と、左右に対向して配された側端接合部４、５を備えた構成である。さらに上端接合部２と対向する下端には積層体１０からなる底材９ａを内側に折り込んで挿入し舟形状の下端接合部３で熱接着され、上下方向の断面視逆Ｖ字状の底部９と、対向して配された胴材８ａ、８ｂで構成された胴部８を備えた自立袋である。なお、上端接合部２は内容物を充填するまでは未接着の開口部となっており、この開口部より内容物を電子レンジ加熱用包装袋１内に充填した後、熱接着して上端接合部２を形成して密封包装するものである。
【００１４】
側端接合部４の上部には電子レンジ加熱用包装袋１を開封するためのノッチ７が形成されている。側端接合部５には蒸気抜き手段形成部６を備え、蒸気抜き手段形成部６は、蒸気口形成用接合部６１及び液漏れ防止領域Ｒを備える。蒸気口形成用接合部６１は、側端接合部５の一部が外方から内方に凹んだ形状である。液漏れ防止領域Ｒは、蒸気口形成用接合部６１の外縁に連続した未接合部６２からなり、未接合部６２には切り込みがない。
【００１５】
図３は、本発明に係る電子レンジ加熱用包装袋の一実施形態の要部説明図であって、（イ）は図１の円内拡大図、（ロ）は（イ）に示したＢ−Ｂ線における断面図である。図３を参照しながらさらに本発明に係る一実施形態の電子レンジ加熱用包装袋１の要部について詳述する。蒸気抜き手段形成部６は、蒸気口形成用接合部６１及び液漏れ防止領域Ｒを備える。蒸気口形成用接合部６１は、側端接合部５の一部が外方から内方に凹んだ山形の形状であり、山形の形状の頂上には突端６１ｄを備える。この突端６１ｄを備えることにより電子レンジ加熱した際、加熱により発生した蒸気の熱や内圧により蒸気口形成用接合部６１の突端６１ｄが、先ず、剥離開始し接合部の剥離後退が起こり、剥離後退が未接合部６２に達すると未接合部６２より蒸気が速やかに電子レンジ加熱用包装袋１の外に排出されるという効果を奏する。また、突端６１ｄは、電子レンジ加熱用包装袋１を形成する上端接合部２、下端接合部３、側端接合部４、５のどの内端と比べても、電子レンジ加熱用包装袋１の中心から最も近い位置になるように配することが好ましく、蒸気口形成用接合部６１の山形の形状の裾野に基部６１ａ、基部６１ｂを備え、基部６１ａ及び基部６１ｂは側端接合部５に連接している。
【００１６】
液漏れ防止領域Ｒは、蒸気口形成用接合部外縁６１ｃに連続した未接合部６２からなり、未接合部６２は、胴部を構成する胴材８ａと胴材８ｂが２枚に分離し、外気と連通している。また、未接合部６２を構成する胴材８ａ及び胴材８ｂのいずれにも切り込みがない。図３（イ）に示すように未接合部外縁６２ａは外方から内方に湾曲しており、蒸気口形成用接合部６１の両側の基部６１ａ、６１ｂが連接する側端接合部５の側端接合部外縁５ａ、５ｂ間に仮想接線６３を引いたとき、未接合部外縁６２ａにおいて内方に向かう最下点より仮想接線６３に下した垂線の長さをαとすると仮想接線６３よりも内側に長さα後退している。また、未接合部外縁６２ａにおいて内方に向かう最下点と突端６１ｄの外縁間の長さをβとするとα＜βの関係を満足することが好ましい。未接合部６２の外縁を湾曲させることなく直線とすることもできるが突端６１ｄの外縁から未接合部外縁６２ａまでの長さがα＋βとなり、長くなるために電子レンジ加熱時に発生した蒸気が排気され難くなるため、未接合部外縁６２ａは仮想接線６３より内側に後退させることが好ましい。特に、基部６１ａと基部６１ｂとの間の距離をγとした場合、α＋β≦γとなるのが好ましく、一般的な包装袋の大きさを考慮した場合、１ｍｍ≦α≦１０ｍｍ、より好ましくは３ｍｍ≦α≦７ｍｍ、７ｍｍ≦β≦２０ｍｍ、より好ましくは１０ｍｍ≦β≦１５ｍｍ、１０ｍｍ≦γ≦３０ｍｍ、より好ましくは１５ｍｍ≦γ≦２０ｍｍである。
【００１７】
本発明は、蒸気抜き手段形成部６は、蒸気口形成用接合部６１及び液漏れ防止領域Ｒを備え、蒸気口形成用接合部６１は、側端接合部５の一部が外方から内方に凹んだ形状であり、液漏れ防止領域Ｒは、蒸気口形成用接合部外縁６１ｃに連続した未接合部６２からなり未接合部６２には切り込みがない構成を要旨とするものであり、その主旨を逸脱しない範囲において、蒸気抜き手段形成部６の構成は限定されるものではない。また、包装袋の形態においても一実施形態に示した自立袋以外の袋形態にも適用でき、電子レンジ加熱用包装袋１は、三方シールタイプ袋、四方シールタイプ袋、ピロータイプ袋等の平袋でもよい。本発明の電子レンジ加熱用包装袋１は未接合部６２に切り込みがないので電子レンジ加熱後、電子レンジから袋を取り出す際、内容物の汁等の零れを防止できる効果を奏する。
【００１８】
また、本発明の一実施形態の電子レンジ加熱用包装袋１は、図示しないが、未接着で開口部を備えた上端接合部形成予定部分より内容物を充填し、その後、上端接合部２で熱接着し密封された包装体を電子レンジ加熱すると加熱により発生した蒸気の熱や内圧により蒸気口形成用接合部６１の突端６１ｄより接合部の剥離後退が起こり、剥離後退が未接合部６２に達すると未接合部６２より蒸気が速やかに電子レンジ加熱用包装袋１の外に排出され、蒸気抜き手段形成部６より自動開封される。未接合部外縁６２ａが仮想接線６３よりも内側に後退していることにより、未接合部６２が閉塞することなく蒸気がスムーズに排出されるので自動的に内圧を低下させることができ電子レンジ加熱用包装袋１が破裂することがない。また、電子レンジ内から取り出す際にも未接合部６２に切り込みがないので未接合部６２の胴材８ａと胴材８ｂが密着し、その閉塞効果により内容物の汁が零れることなく、安全に加熱調理できる。
【００１９】
次に、本発明の電子レンジ加熱用包装袋１を形成する積層体１０の構成例について図４を参照しながら説明する。積層体１０は、図４に示すように、順に基材層１１、印刷層、接着層１４、中間層１２、接着層１５、熱融着性樹脂層１３を備えた構成である。中間層１２は内容物や包装体の殺菌条件や包装体の輸送条件等を勘案して適宜設けるものであり、条件により省略できる層である。なお、印刷層は図示していない。
【００２０】
基材層１１としては、耐熱性を有し、通常、電子レンジによる加熱に耐える材質あれば、特に、限定されるものではない。例えば、延伸ポリエチレンテレフタレートフィルム、シリカ蒸着延伸ポリエチレンテレフタレートフィルム、アルミナ蒸着延伸ポリエチレンテレフタレートフィルム、延伸ナイロンフィルム、シリカ蒸着延伸ナイロンフィルム、アルミナ蒸着延伸ナイロンフィルム、延伸ポリプロピレンフィルム、ポリビニルアルコールコート延伸ポリプロピレンフィルム等のいずれか、またはこれらの２つ以上を積層した複合フィルムが使用できる。また、基材層１１の厚みは１０μｍ〜５０μｍ、好ましくは１０μｍ〜３０μｍ程度である。
【００２１】
中間層１２としては、基材層１１で示したフィルムやエチレン−ビニルアルコール共重合体フィルム等が使用される。
【００２２】
また、熱融着性樹脂層１３を構成する樹脂は、通常、電子レンジによる加熱に耐えるものであれば使用できる。例えば、低密度ポリエチレン、直鎖状低密度ポリエチレン、中密度ポリエチレン、高密度ポリエチレン、ポリプロピレン、プロピレン−エチレン共重合体、エチレン−酢酸ビニル共重合体、エチレンーアクリル酸共重合体、エチレン−メタクリル酸共重合体、エチレン−メチルアクリレート共重合体、エチレン−エチルアクリレート共重合体、エチレン−メチルメタクリレート共重合体またはアイオノマー等樹脂を使用できる。
【００２３】
熱融着性樹脂層１３はこれらの樹脂を押出ラミネート法により形成しても良いし、予め、Ｔダイ法またはインフレーション法等により製膜したフィルムとして、基材層または中間層とドライラミネート法あるいは押出ラミネート法等により積層しても良い。熱融着性樹脂層１３の厚さは、２０μｍ〜１００μｍ程度が好ましい。
【００２４】
また、熱融着性樹脂層の樹脂としては、とりわけ、低温時（０℃）および常温時（２５℃）において十分なシール強度があり、電子レンジ加熱時（９０℃以上）にシール強度が低く、速やかに剥離する性質を有する樹脂として、プロピレン−エチレンブロック共重合体樹脂を主成分とする樹脂組成物からなるものを使用することが好ましい。
【００２５】
次に、基材層１１と熱融着性樹脂層１３、基材層１１と中間層１２と熱融着性樹脂層１３との積層は押出ラミネート法、ドライラミネート法等の通常のラミネート法により積層され、接着層１４、１５とは押出ラミネート法に使用されるポリオレフィン系樹脂等の接着樹脂層、ドライラミネート法に使用される例えば、ウレタン系２液反応型接着剤等の接着剤の層である。
【００２６】
本発明の電子レンジ加熱用包装袋１は、積層体１０を使用して、製袋することにより自立袋、四方シールタイプや三方シールタイプの包装袋に製造することができる。その後、開口部とされた上端接合部形成予定部分より内容物を充填し、熱接着して上端接合部２となし包装体が製造される。
【実施例】
【００２７】
以下に実施例および比較例を挙げて本発明を更に説明する。
【００２８】
〔実施例１〕
厚さ１２μｍのアルミナ蒸着ポリエチレンテレフタレートフィルム、厚さ１５μｍの延伸ナイロンフィルム、厚さ７０μｍの無延伸ポリプロピレンフィルムをウレタン系２液反応型接着剤でドライラミネートした積層体で、図１に示すような本発明の蒸気口形成用接合部６１及び液漏れ防止領域Ｒを備えた蒸気抜き手段形成部６を有する自立袋タイプの電子レンジ加熱用包装袋１（外寸法、上下高さ：１４７ｍｍ、左右幅：１６０ｍｍ、底部ガセット幅：４１ｍｍ）を作製した。
なお、蒸気抜き手段形成部６の長さは以下の通りとした。
幅方向の長さ（シール幅＋α＋β）：  １５ｍｍ
高さ方向の長さ（γ）            ：  １５ｍｍ
シール幅                        ：    ３ｍｍ
未接合部の後退長さ（α）        ：    ５ｍｍ
【００２９】
上記で得られた電子レンジ加熱用包装袋１に、内容物として、市販のカレー２１０ｇを入れ、上端接合部２をヒートシールして密封し包装体を作製後、１２０℃で３０分間レトルト処理したものを、出力５００Ｗ電子レンジで加熱した結果、約１分２０秒後に蒸気口形成用接合部６１の剥離後退した部分から蒸気が未接合部６２を通過して速やかに外部に排出され、調理することができた。また、電子レンジから取り出す際に、未接合部から内容物の汁が零れることなく、安全に取り出すことができた。
【符号の説明】
【００３０】
１                              電子レンジ加熱用包装袋
２                              上端接合部
３                              下端接合部
４、５                          側端接合部
５ａ、５ｂ                      側端接合部外縁
６                              蒸気抜き手段形成部
６１                            蒸気口形成用接合部
６１ａ、６１ｂ                  基部
６１ｃ                          蒸気口形成用接合部外縁
６１ｄ                          突端
６２                            未接合部
６２ａ                          未接合部外縁
６３                            仮想接線
７                              ノッチ
８                              胴部
８ａ、８ｂ                      胴材
９                              底部
９ａ                            底材
１０                            積層体
１１                            基材層
１２                            中間層
１３                            熱融着性樹脂層
１４、１５                      接着層
Ｒ                              液漏れ防止領域
【図１】
0006753159.tif 000002
【図２】
0006753159.tif 000003
【図３】
0006753159.tif 000004
【図４】
0006753159.tif 000005